(57)【要約】      （修正有）【課題】背中部分を簡単且つ確実に洗うことができる洗浄具を提供する。【解決手段】合成樹脂製の繊維で編まれたネットで成形される長尺な第一の筒体を軸方向に沿って縮めて折り重ねることにより第一のリングを構成すると共に、第一のリングの両端部を夫々緊締して弾性膨出する球状に形成したボール体２と、合成樹脂製の繊維で編まれたネットで成形される比較的短尺な第二の筒体を軸方向に沿って縮めて折り重ねることにより第二のリングを構成すると共に、第二のリングを径方向に緊締して弾性膨出するフリル体３とから構成され、一対のボール体２間にフリル体３の第二のリングの軸芯部分を一体に組み付け、ボール体２の他端に引っ掛け紐４を付着させた。【選択図】図１
0003157413.tif 000002
【実用新案登録請求の範囲】
【請求項１】
合成樹脂製の繊維で編まれたネットで成形される長尺な第一の筒体（５）を軸方向に沿って縮めて折り重ねることにより第一のリング（６）を構成すると共に、該第一のリング（６）の両端部を夫々緊締して弾性膨出する球状に形成したボール体（２）と、合成樹脂製の繊維で編まれたネットで成形される比較的短尺な第二の筒体（１３）を軸方向に沿って縮めて折り重ねることにより第二のリング（８）を構成すると共に、該第二のリング（８）を径方向に緊締して弾性膨出するフリル体（３）とから構成され、一対の前記ボール体（２）間にフリル体（３）の第二のリング（８）の軸芯部分を一体に組み付け、前記ボール体（２）の他端に引っ掛け紐（４）を付着させたことを特徴とする洗浄具。
【考案の詳細な説明】
【技術分野】
【０００１】
本考案は、体を洗う洗浄具に関するものである。
【背景技術】
【０００２】
風呂で体を洗うものとして、旧来より手拭いやタオル、ネット状のボディタオル、ボディブラシ等、様々なものが用いられてきたが、特に背中を洗う場合、手拭いやタオルの両端を持ってしごくことになるために手拭い等は太い紐状となってしまい、石鹸を余分に使用しなければならず、また背中を広く洗えない不満があり、ボディブラシの場合は手が上がらないために確実に届かなかったり擦れない不満があった。
【０００３】
このため、背中を洗うための洗浄具として、以下の如き発明の提案がなされている。
【先行技術文献】
【特許文献】
【０００４】
【特許文献１】特表２００１−５１６６０３公報
【考案の概要】
【考案が解決しようとする課題】
【０００５】
この発明は、ネットをボール状に形成し、このボールを２個連結し、両端につなぎ紐を付着した構成で、つなぎ紐を持って背中に架け渡すものであるが、つなぎ紐を夫々引っ張って洗うことになるため、ボールも引き延ばされて扁平になってしまい、充分な膨らみが維持できないため、及び２個のボールが分断されているために、特に背骨近傍での洗浄が確実に行えない欠点がある。
【０００６】
よって本考案は、上述した従来技術の欠点、不都合、不満を解消するべく開発された洗浄具であって、背中部分を簡単且つ確実に洗うことができるようにすることを目的とする。
【課題を解決するための手段】
【０００７】
上記課題を解決するため、本考案の洗浄具は、合成樹脂製の繊維で編まれたネットで成形される長尺な第一の筒体を軸方向に沿って縮めて折り重ねることにより第一のリングを構成すると共に、この第一のリングの両端部を夫々緊締して弾性膨出する球状に形成したボール体と、合成樹脂製の繊維で編まれたネットで成形される比較的短尺な第二の筒体を軸方向に沿って縮めて折り重ねることにより第二のリングを構成すると共に、この第二のリングを径方向に緊締して弾性膨出するフリル体とから構成され、一対の前記したボール体間に前記したフリル体の第二のリングの軸芯部分を一体に組み付け、前記したボール体の他端に引っ掛け紐を付着させたことを特徴とする。
【考案の効果】
【０００８】
上記した本考案にあって、ボール体はネットの長尺な第一の筒体を縮めて折り重ねた第一のリングの両端部を夫々緊締して構成されているので、ネットの弾性収縮力により中央が襞状に膨出する球状となり、また、フリル体はネットの比較的短尺な第二の筒体を縮めて折り重ねたリングを径方向に緊締して構成され、且つ一対のボール体間にその第二のリングの軸芯部分を一体に組み付けているので、ボール体の径方向に対して直交する軸方向に弾性膨出している。
【０００９】
従って、両端の引っ掛け紐を把持して背中に回して引っ張ると、ボール体は楕円球形状（ラグビーボール形状）に変形して伸びるが、フリル体は変形しない。
【００１０】
それ故、ボール体部分で肩からわき腹にかけての背中を洗うことができるだけでなく、中央部の変形しないフリル体で背骨近傍を確実に洗うことができ、最小限の石鹸の塗布で済む等、本考案は多くの優れた作用効果を奏する。
【図面の簡単な説明】
【００１１】
【図１】洗浄具の一例を示す正面図である。
【図２】組み立て工程を示す分解正面図である。
【図３】使用状態の正面図である。
【考案を実施するための形態】
【００１２】
本考案の洗浄具１は、合成樹脂製の繊維で編まれたネットで成形されるボール体２と、合成樹脂製の繊維で編まれたネットで成形されるフリル体３とから構成され、一対のボール体２間にフリル体３の軸芯部分を一体に組み付け、ボール体２の他端に夫々引っ掛け紐４を付着させた構成である。
【００１３】
ボール体２は、合成樹脂製の繊維で編まれたネットで成形される長尺な第一の筒体５を軸方向に沿って縮めて折り重ねることにより第一のリング６を構成すると共に、この第一のリング６の両端部を紐７を介して夫々緊締して弾性膨出する球状に形成したものであり、フリル体３は合成樹脂製の繊維で編まれたネットで成形される比較的短尺な第二の筒体を軸方向に沿って縮めて折り重ねることにより第二のリング８を構成すると共に、この第二のリング８を紐９を介して径方向に緊締して形成するものである。
【実施例】
【００１４】
図２は組み立て工程を示すものであり、（ａ）はボール体２の原型である第一の筒体５である。この第一の筒体５は、例えばポリエチレン等の合成樹脂製の繊維で編まれたネットで成形され、ネットの収縮した通常の状態で好ましい長さは約３メートルにものぼる長尺で、周方向に沿って山折れ線１０と谷折れ線１１とを交互に設け、これ等の山折れ線１０と谷折れ線１１とを折って第一の筒体５を軸方向に沿って縮めて折り重ねることにより第一のリング６を構成し（ｂ参照）、この第一のリング６の両端部を紐７を介して夫々緊締するのであるが、一方端の紐７は引っ掛け紐４で兼用しても良い。この緊締により、第一のリング６はネットの弾性収縮力により中央が多数の襞１２となって膨出する球状に形成されることになる（ｃ参照）。
【００１５】
第一の筒体５は、ネットの収縮した通常の状態でのその直径は約１２センチメートル程度であり、ボール体２に成形した襞１２に沿った直径は約１０センチメートル、伸長した際のボール体２の楕円の長径は約１５センチメートル、短径は約８センチメートルである。
【００１６】
フリル体３は、同じく合成樹脂製の繊維で編まれたネットで成形され、ボール体２の第一の筒体５に比較すれば短尺な（約１メートル）第二の筒体１３を（ｄ参照）、その山折れ線１４と谷折れ線１５とを折って軸方向に沿って縮めて折り重ねることにより第二のリング８を構成し（ｅ参照）、この第二のリング８を紐９を介して径方向に緊締し、多数の襞１６が形成されることになる（ｆ参照）。尚、この場合の第二の筒体１３の直径は約１８センチメートルである。また、第一のリング６には、フリル体３と連結するための結び紐１７が付設されているが、紐７の一部を兼用させても良い。
【００１７】
フリル体３はボール体２の径方向に対して直交する軸方向に弾性膨出しているので、引っ掛け紐４を引っ張るとボール体２は楕円球形状に伸び変形するものの、フリル体３は変形しない。
【符号の説明】
【００１８】
１  洗浄具
２  ボール体
３  フリル体
４  引っ掛け紐
５  第一の筒体
６  第一のリング
７  紐
８  第二のリング
９  紐
１０  山折れ線
１１  谷折れ線
１２  襞
１３  第二の筒体
１４  山折れ線
１５  谷折れ線
１６  襞
１７  結び紐
【図１】
0003157413.tif 000003
【図２】
0003157413.tif 000004
【図３】
0003157413.tif 000005